(57)【要約】  複数のファイルのそれぞれに付されたファイルタグ１から各ファイルの個別情報を読み取り、複数のファイルを管理するタグ管理装置であって、ファイルが配置される複数のロケーション毎に配置され、ロケーションにおいて、アンテナ３により読取可能とされる有効状態とアンテナ３により読取不能とされる無効状態とをユーザによる所定の操作により切り替えることができるスイッチングタグ２ａ〜２ｄと、スイッチングタグ２ａ〜２ｄより読み取られたロケーション情報とファイルタグ１より読み取られた各ファイルの個別情報を対応付けて管理する管理部６とを有する。
2009022403.tif 000002
【特許請求の範囲】
【請求項１】
複数の管理対象物のそれぞれに付されたＩＣタグから各管理対象物の個別情報を読み取り、複数の管理対象物を管理するタグ管理装置であって、
前記管理対象物が配置される複数のロケーション毎に配置され、該ロケーションにおいて、リード装置により読取可能とされる有効状態とリード装置により読取不能とされる無効状態とをユーザによる所定の操作により切り替えることができるスイッチ機能付きタグと、
前記スイッチ機能付きタグより読み取られたロケーション情報と前記ＩＣタグより読み取られた前記各管理対象物の個別情報を対応付けて管理する管理部と
を備えてなるタグ管理装置。
【請求項２】
請求項１に記載のタグ管理装置において、
前記スイッチ機能付きタグは、
アンテナを有し、所定の情報をリード装置により読み取り可能に保持するＩＣタグと、
前記ＩＣタグへの近接時に前記リード装置による前記所定の情報の読み取りを不能にするリード阻止部材と、
前記リード阻止部材を前記ＩＣタグから離間させ、該離間時に前記リード装置による前記所定の情報の読み取りを可能にする操作部と
を備えるタグ管理装置。
【請求項３】
請求項１に記載のタグ管理装置において、
前記ＩＣタグは、前記管理対象物がそれぞれのロケーションに配置された場合に、リード装置から読み取り不能に遮蔽されるタグ管理装置。
【請求項４】
請求項１に記載のタグ管理装置において、
複数の前記スイッチ機能付きタグのそれぞれを複数のロケーション位置のそれぞれに対応して備えた管理対象物収納棚をさらに備えてなるタグ管理装置。
【請求項５】
第１情報を保持し、リード装置により読取可能とされる有効状態とリード装置により読取不能とされる無効状態とをユーザによる所定の操作により切り替えることができるスイッチ機能付きの第１タグと、
第２情報をリード装置により読み取り可能に保持する第２タグと、
前記第１タグより読み取られた前記第１情報と前記第２タグより読み取られた第２情報を対応付けて管理する管理部と
を備えてなるタグ管理装置。
【請求項６】
請求項５に記載のタグ管理装置において、
前記管理部は、前記第１タグから前記第１情報が読み取られた場合に、前記第２タグからの前記第２情報を読み取り、これら第１情報と第２情報とを対応付けて管理するタグ管理装置。
【請求項７】
請求項６に記載のタグ管理装置において、
前記管理部は、前記第１情報と前記第２情報とが読み取られた後に、再度該第１情報が所定の時間内に読み取られることを条件に前記第１情報と前記第２情報とを対応付けて管理するタグ管理装置。
【請求項８】
アンテナを有し、所定の情報をリード装置により読み取り可能に保持するＩＣタグと、
前記ＩＣタグへの近接時に前記リード装置による前記所定の情報の読み取りを不能にするリード阻止部材と、
前記リード阻止部材を前記ＩＣタグから離間させ、該離間時に前記リード装置による前記所定の情報の読み取りを可能にする操作部と
を備えるスイッチ機能付きタグ。
【請求項９】
請求項８に記載のスイッチ機能付きタグにおいて、
前記リード阻止部材は、前記ＩＣタグに付勢される金属材料又は磁性材料により構成されているスイッチ機能付きタグ。
【請求項１０】
請求項８に記載のスイッチ機能付きタグにおいて、
前記タグは、複数のＩＣタグのそれぞれが付される複数の管理対象物についての一つのロケーションに係る情報を保持しているスイッチ機能付きタグ。
【請求項１１】
リード装置により読取可能とされる有効状態とリード装置により読取不能とされる無効状態とをユーザによる所定の操作により切り替えることができるスイッチ機能付きの第１タグから、第１情報が読み取られたか否かを判断する第１情報読み取り判断ステップと、
前記第１情報読み取り判断ステップにより、前記第１情報が読み取られたと判断された場合に、第２タグから読み取られた第２情報を前記第１情報と対応付けて管理する管理ステップと
を備えるタグ管理方法。
【請求項１２】
請求項１１に記載のタグ管理方法において、
前記管理ステップは、前記第１情報読み取り判断ステップにより、前記第１情報が読み取られたと判断された場合に、第２タグから第２情報を読み取り、読み取られた第２情報を前記第１情報と対応付けて管理するタグ管理方法。
【請求項１３】
請求項１１に記載のタグ管理方法において、
前記管理ステップは、前記第１情報と前記第２情報とが読み取られた後に、再度該第１情報が所定の時間内に読み取られることを条件に前記第１情報と前記第２情報を対応付けて管理するタグ管理方法。
【請求項１４】
請求項１１に記載のタグ管理方法において、
前記第１タグは、管理対象物を配置するロケーションに設けられ、前記第１情報は管理対象物の位置情報であり、前記第２タグは前記管理対象物に付され、前記第２情報は前記管理対象物の個別情報であるタグ管理方法。
【請求項１５】
アンテナを有し、所定の情報をリード装置により読み取り可能に保持するＩＣタグのスイッチング方法であって、
前記ＩＣタグに対して金属又は磁性体からなるリード阻止部材を近接又は離間自在に設けておき、該リード阻止部材を該ＩＣタグに近接させることで該ＩＣタグから前記所定の情報の読み取りを不能にすると共に、前記リード阻止部材を前記ＩＣタグから離間させることで、該ＩＣタグから前記所定の読み取りを可能にするＩＣタグのスイッチング方法。
【請求項１６】
請求項１５に記載のＩＣタグのスイッチング方法において、
前記リード阻止部材を前記ＩＣタグに近接した状態に支持しておき、前記リード阻止部材を前記ＩＣタグから離間させて該ＩＣタグから前記所定の情報を読み取るようにしたＩＣタグのスイッチング方法。
【請求項１７】
タグ情報を管理して管理対象物を管理するタグ管理方法をコンピュータに実行させるタグ管理プログラムであって、
リード装置により読取可能とされる有効状態とリード装置により読取不能とされる無効状態とをユーザによる所定の操作により切り替えることができるスイッチ機能付きの第１タグから、第１情報が読み取られたか否かを判断する第１情報読み取り判断ステップと、
前記第１情報読み取り判断ステップにより、前記第１情報が読み取られたと判断された場合に、第２タグから読み取られた第２情報を前記第１情報と対応付けて管理する管理ステップと
をコンピュータに実行させるタグ管理プログラム。
【請求項１８】
請求項１７に記載のタグ管理プログラムにおいて、
前記管理ステップは、前記第１情報読み取り判断ステップにより、前記第１情報が読み取られたと判断された場合に、第２タグから第２情報を読み取り、読み取られた第２情報を前記第１情報とを対応付けてコンピュータに管理させるタグ管理プログラム。
【請求項１９】
請求項１７に記載のタグ管理プログラムにおいて、
前記管理ステップは、前記第１情報と前記第２情報とが読み取られた後に、再度該第１情報が所定の時間内に読み取られることを条件に前記第１情報と前記第２情報とを対応付けてコンピュータに管理させるタグ管理プログラム。
【請求項２０】
請求項１７に記載のタグ管理プログラムにおいて、
前記第１タグは、管理対象物を配置するロケーションに設けられ、前記第１情報は管理対象物の位置情報であり、前記第２タグは前記管理対象物に付され、前記第２情報は前記管理対象物の個別情報であるタグ管理プログラム。
【発明の詳細な説明】
【技術分野】
【０００１】
本発明は、管理対象物とロケーションの対応付けを行なうスイッチ機能付きタグ、タグ管理装置、タグ管理プログラム及び方法に関するものである。
【背景技術】
【０００２】
商品や資料の管理において、管理対象物に夫々特定の情報を持たせたＩＣタグを貼り付け、そのＩＣタグを読み取ることにより管理対象物を管理する技術が知られている。【０００３】
また、このようなＩＣタグによる物品管理技術において、図６に示すような管理対象物のＩＣタグとロケーションの区分けごとに設置されたアンテナによって、管理対象物とロケーションを対応付けるタグ管理装置が知られている（例えば特許文献１参照）。【０００４】
また、図７に示すような管理対象物のＩＣタグとロケーションの区分けごとに貼られたＩＣタグをハンディ端末装置で読み取ることによって、管理対象物とロケーションを対応付けるタグ管理装置が知られている。
【特許文献１】特開２００３−７２９１９号公報
【発明の開示】
【発明が解決しようとする課題】
【０００５】
しかしながら、特許文献１の技術はロケーションの区切りごとにアンテナとその設置作業が必要となり高い導入費用を必要とする。また、ロケーションの区切りを細分化するためにもアンテナとその設置作業が必要である。さらに、アンテナの通信範囲によりロケーションを区切っているため、細分化は困難である。【０００６】
また、図７に示す技術において、管理対象物とロケーションとの対応付けはハンディ端末装置の操作によって行なわれるために作業が煩雑であり、また作業を同時に行なうためには高価なハンディ端末装置が必要である。【０００７】
本発明は上述した問題点を解決するためになされたものであり、対応付け作業の効率化とロケーションの区分けの細分化を低コストで実現することができるスイッチ機能付きタグ、タグ管理装置、タグ管理プログラム及び方法を提供することを目的とする。
【課題を解決するための手段】
【０００８】
上述した課題を解決するため、本発明の一態様は、複数の管理対象物のそれぞれに付されたＩＣタグから各管理対象物の個別情報を読み取り、複数の管理対象物を管理するタグ管理装置であって、前記管理対象物が配置される複数のロケーション毎に配置され、該ロケーションにおいて、リード装置により読取可能とされる有効状態とリード装置により読取不能とされる無効状態とをユーザによる所定の操作により切り替えることができるスイッチ機能付きタグと、前記スイッチ機能付きタグより読み取られたロケーション情報と前記ＩＣタグより読み取られた前記各管理対象物の個別情報を対応付けて管理する管理部とを備える。【０００９】
また、本発明の一態様は、有効状態と無効状態を切り替えることができるスイッチ機能付きタグであって、アンテナを有し、所定の情報をリード装置により読み取り可能に保持するＩＣタグと、前記ＩＣタグへの近接時に前記リード装置による前記所定の情報の読み取りを不能にするリード阻止部材と、前記リード阻止部材を前記ＩＣタグから離間させ、該離間時に前記リード装置による前記所定の情報の読み取りを可能にする操作部とを備える。【００１０】
また、本発明の一態様に係るタグ管理方法は、リード装置により読取可能とされる有効状態とリード装置により読取不能とされる無効状態とをユーザによる所定の操作により切り替えることができるスイッチ機能付きの第１タグから、第１情報が読み取られたか否かを判断する第１情報読み取り判断ステップと、前記第１情報読み取り判断ステップにより、前記第１情報が読み取られたと判断された場合に、第２タグから読み取られた第２情報を前記第１情報と対応付けて管理する管理ステップとを実行する。【００１１】
また、本発明の一態様は、アンテナを有し、所定の情報をリード装置により読み取り可能に保持するＩＣタグのスイッチング方法であって、前記ＩＣタグに対して金属又は磁性体からなるリード阻止部材を近接又は離間自在に設けておき、該リード阻止部材を前記ＩＣタグに近接させることで該ＩＣタグから前記所定の情報の読み取りを不能にすると共に、前記リード阻止部材を前記ＩＣタグから離間させることで、該ＩＣタグから前記所定の読み取りを可能にする。【００１２】
また、本発明の一態様は、タグ情報を管理して管理対象物を管理するタグ管理方法をコンピュータに実行させるタグ管理プログラムであって、リード装置により読取可能とされる有効状態とリード装置により読取不能とされる無効状態とをユーザによる所定の操作により切り替えることができるスイッチ機能付きの第１タグから、第１情報が読み取られたか否かを判断する第１情報読み取り判断ステップと、前記第１情報読み取り判断ステップにより、前記第１情報が読み取られたと判断された場合に、第２タグから読み取られた第２情報を前記第１情報と対応付けて管理する管理ステップとをコンピュータに実行させる。
【図面の簡単な説明】
【００１３】
【図１】本実施の形態に係るタグ管理装置の構成を示す図である。
【図２】タグ管理装置のスイッチングタグの構成を示す図である。
【図３】アンテナの読取可能範囲とファイルタグとスイッチングタグの位置関係を示す図である。
【図４】データベース６１が保持する資料管理テーブル、書庫管理テーブル及び履歴管理テーブルを示す図である。
【図５】本実施の形態に係る管理装置の入出庫処理の動作を示すフローチャートである。
【図６】従来のタグ管理装置の一例を示す図である。
【図７】従来のタグ管理装置の他の例を示す図である。
【発明を実施するための最良の形態】
【００１４】
以下、本発明の実施の形態について図面を参照しつつ説明する。【００１５】
まず、本実施の形態に係るタグ管理装置の構成について説明する。図１は、本実施の形態に係るタグ管理装置の構成を示す図である。なお、本実施の形態において、タグ管理装置の管理対象は書庫に配置されたファイルとする。【００１６】
タグ管理装置はファイルタグ１（第２タグ）、スイッチングタグ２ａ〜２ｄ（スイッチ機能付きタグ、第１タグ）、アンテナ３（リード装置）、ディスプレイ４、リーダライタ５、コンピュータ６（管理部）、データベース６１、書庫１０（管理対象物収納棚）を備える。【００１７】
書庫１０〜書庫ｎは夫々複数の棚を備え、夫々の棚にはスイッチングタグ２ａ〜２ｄが付されている。なお、本実施の形態の説明においては、以後書庫１０を例として説明する。【００１８】
アンテナ３はファイルタグ１及びスイッチングタグ２ａ〜２ｄを読み取る。アンテナ３が読取可能な範囲は書庫１０〜ｎの棚夫々に備えられたスイッチングタグ２ａ〜２ｄが読み取れる範囲である。【００１９】
ファイルタグ１はファイルに貼られたタグであって、電池を内蔵する必要がないパッシブタグであり、管理対象物を示す情報であるＩＤ（第２情報）を保持している。また、スイッチングタグ２ａ〜２ｄは書庫１０〜ｎの棚夫々に対して貼られ、アンテナ３が読取不能である無効状態とアンテナ３が読取可能である有効状態とを切り替えることができるタグである。【００２０】
また、ファイルタグ１はアンテナ３に対して読取不能な位置に配置され、スイッチングタグ２ａ〜２ｄは読取可能な位置に配置されている。また、アンテナ３が読み取り可能な範囲内でスイッチングタグ２ａ〜２ｄを増やすことでロケーション情報をより細分化して管理することができる。【００２１】
コンピュータ６はデータベース６１を備え、リーダライタ５及びディスプレイ４を制御する。データベース６１はファイルタグ１のＩＤに対して付加される情報を管理する資料管理テーブルと後述するスイッチングタグ２ａ〜２ｄのロケーション番号に対して付加される情報を管理する書庫管理テーブルと資料管理及び書庫管理における処理の履歴を管理する履歴管理テーブルを保持する。尚、資料管理テーブル、書庫管理テーブル及び履歴管理テーブルについては後述する。【００２２】
ディスプレイ４は処理結果表示と指示要求表示と確認表示とを書庫及びファイルの管理者に対して行ない、リーダライタ５はアンテナ３に対してファイルタグ１及びスイッチングタグ２ａ〜２ｄの読み取りを実行させる。また、ファイルタグ１に対してＩＤを書込み、スイッチングタグ２ａ〜２ｄに対してロケーション番号を書込むこともできる。【００２３】
図２はタグ管理装置のスイッチングタグの構成を示す図である。【００２４】
スイッチングタグ２ａ〜２ｄは夫々に無線タグ２１（ＩＣタグ）、金属板２２（リード阻止部材）、バネ２３、レバー２４（操作部）を備える。無線タグ２１は場所を示すロケーション番号（第１情報）を保持しているパッシブタグである。例えば、図１の書庫１０の１段目であれば、ロケーション番号は１０Ａとなる。また、金属板２２はＩＣタグ２１に密着することでアンテナ３に対し無線タグ２１を読取不能にするものである。また、バネ２３は無線タグ２１に金属板２２を密着させるものであり、レバー２４はバネ２３によって無線タグ２１に密着された金属板２２を引き離し無線タグ２１を読取可能とするものである。通常、無線タグ２１には金属板２２が密着しているため、アンテナ３は無線タグ２１を読み取ることができず、レバー２４によって金属板２２が引き離されてアンテナ３は無線タグ２１を読み取ることができる。【００２５】
また、無線タグ２１はファイルタグ１と同様に電源を必要としないパッシブタグであって、アクティブタグよりも低コストであるパッシブタグに金属板２２を密着させ、パッシブタグをアンテナ３により読取不能にすることによって、安価に無線タグ２１の無効状態と有効状態を切り替えることができる。【００２６】
図３はアンテナの読取可能範囲とファイルタグとスイッチングタグの位置関係を示す図である。【００２７】
図３において、書庫１０は図１の書庫１０の側面を示している。アンテナ３の電波の出力はリーダライタ５によって、スイッチングタグ２ａ〜２ｄを読み取り、且つアンテナ３の読み取り範囲がファイルタグ１までは届かないよう設定されている。また、スイッチングタグ２ａ〜２ｄの設置方向をアンテナ３に対して読み取り可能な方向に向け、ファイルタグ１の設置方向をアンテナ３に対して読み取り不能な方向に向けても構わない。また、アンテナ３の電波を遮蔽する素材による書庫であればスイッチングタグ２ａ〜２ｄを書庫の外側に設置し、ファイルタグ１を書庫の内側に設置しても構わない。【００２８】
上述のように本実施の形態はスイッチタグ２ａ〜２ｄのいずれかが有効状態になるか、もしくはファイルタグ１がアンテナ３の読取可能範囲に入るまで、アンテナ３はタグを読み取らない。また、スイッチタグ２ａ〜２ｄのいずれかと特定のファイルタグ１をアンテナ３が読み取ることによって、コンピュータ６が管理対象物と書庫の棚を対応付ける。【００２９】
図４はデータベース６１が保持する資料管理テーブル、書庫管理テーブル及び履歴管理テーブルを示す図である。【００３０】
資料管理テーブルはファイルに貼られたファイルタグ１のＩＤと、ファイルの分類を示す資料管理番号と、スイッチングタグ２ａ〜２ｄのロケーション番号と、ファイルの最終的な入出庫日時を示す最終更新日時と、最終的な入出庫管理を行なった更新者と、ＩＤが示すファイルの登録日時と、ＩＤが示すファイルの管理責任者とを対応付けて管理している。また、これらのテーブルはファイルの入出庫処理の際に更新される。【００３１】
書庫管理テーブルはスイッチングタグ２ａ〜２ｄのロケーション番号と、資料管理番号と、ロケーション番号が示す棚の入出庫状態と、ロケーション番号が示す棚におけるファイルの最終的な入出庫日時を示す最終更新日時と、最終的な入出庫管理を行なった更新者とを対応付けて管理している。【００３２】
履歴管理テーブルは管理している書庫全体において最終的になされた処理に対して夫々ログとしてデータベース６１に保持される情報である。何番目のログかを示すログ通番と、最終的な入出庫日時を示す最終更新日時と、最終的な入出庫管理を行なった更新者と、最終的になされた処理の種類を示す処理種別と、最終的に処理されたファイルの資料管理番号である処理対象資料と、最終的に処理がなされた棚のロケーション番号を示す処理対象ロケーションとを対応付けて管理している。【００３３】
また、図４において、資料管理テーブル、書庫管理テーブル、履歴管理テーブル間で線により結ばれたパラメータは夫々同じパラメータである。夫々のテーブルが対応付けられて管理されていることにより、いつどこにどのファイルがどの書庫に入出庫されたかを容易に管理することができる。【００３４】
次に、本実施の形態に係る管理装置の動作について説明する。図５は本実施の形態に係る管理装置の入出庫処理の動作を示すフローチャートである。このフローチャートはひとつの書庫１０における処理を示すものであり、リーダライタはアンテナに１秒間隔でファイルタグ及びスイッチングタグを読み取らせているものとする。また、このフローチャートにおいて読み取られるスイッチングタグは図１における書庫１０の棚Ｂのスイッチングタグ２ｂとする。【００３５】
まず、アンテナ３がタグを読み取り（Ｓ１０１）、タグの情報を受け取ったコンピュータ６は読み取られたタグがスイッチングタグ２ａ〜２ｄのいずれかであるかを判断する（Ｓ１０２、第１情報読み取り判断ステップ）。【００３６】
読み取られたタグがスイッチングタグ２ａ〜２ｄのいずれかである場合（Ｓ１０２，ＹＥＳ）、コンピュータ６は入庫ファイル指示要求をディスプレイ４に表示させる（Ｓ１０３）。【００３７】
次にアンテナ３は再度タグを読み取り（Ｓ１０４）、タグの情報を受け取ったコンピュータ６は読み取られたタグがファイルタグ１であるかどうかを判断する（Ｓ１０５）。【００３８】
読み取られたタグがファイルタグ１である場合（Ｓ１０５，ＹＥＳ）、コンピュータ６はディスプレイ４に入庫結果と管理者に確認をさせる指示を表示させ（Ｓ１０６）、ステップＳ１０１において読み取られたスイッチングタグであるスイッチングタグ２ｂがステップＳ１０６のディスプレイ４の表示から１０秒以内に有効状態にされたかどうかを判断する（Ｓ１０７）。【００３９】
スイッチングタグ２ｂが１０秒以内に有効状態にされた場合（Ｓ１０７，ＹＥＳ）、コンピュータ６はスイッチングタグ２ｂとファイルタグ１を対応付けてデータベース６１を更新し（Ｓ１０８、管理ステップ）、再びディスプレイ４に入庫ファイル指示要求を表示させる（Ｓ１０３）。【００４０】
また、ステップＳ１０７の判断において、スイッチングタグ２ｂがステップＳ１０３におけるディスプレイ４の表示から１０秒以内に有効状態にされなかった場合（Ｓ１０７，ＮＯ）、コンピュータ６は入庫処理のキャンセルとみなし、処理を終了する。【００４１】
また、ステップＳ１０５の判断において、読み取られたタグがファイルタグ１でなくスイッチングタグ２ａ〜２ｄのいずれかである場合（Ｓ１０５，ＮＯ）、コンピュータ６は読み取られたスイッチングタグ２ａ〜２ｄのうちスイッチングタグ２ｂ以外のスイッチングタグであるかどうか、つまり別の棚のスイッチングタグであるかどうかを判断する（Ｓ１１３）。【００４２】
読み取られたタグが別の棚のスイッチングタグである場合（Ｓ１１３，ＹＥＳ）、コンピュータ６は再びディスプレイ４に入庫ファイル指示要求を表示させる（Ｓ１０３）。【００４３】
一方、読み取られたタグがスイッチングタグ２ｄである場合（Ｓ１１３，ＮＯ）、コンピュータ６は入庫処理のキャンセルとみなし、処理を終了する。【００４４】
また、ステップＳ１０２の判断において、読み取られたタグがスイッチングタグ２ａ〜２ｄのいずれかではなく、ファイルタグ１である場合（Ｓ１０２，ＮＯ）、コンピュータ６は読み取られたファイルタグ１が入庫済みであるかどうかを判断する（Ｓ１０９）。【００４５】
読み取られたファイルタグ１が入庫済みである場合（Ｓ１０９，ＹＥＳ）、コンピュータ６はディスプレイ４に出庫結果と管理者に対する確認指示を表示させ（Ｓ１１０）、スイッチングタグ２ａ〜２ｄのいずれかがステップＳ１１０におけるディスプレイ４の表示から１０秒以内に有効状態にされたかどうかを判断する（Ｓ１１１）。【００４６】
ステップＳ１１０におけるディスプレイ４の表示から１０秒以内にスイッチングタグ２ａ〜２ｄのいずれかが有効状態にされた場合（Ｓ１１１，ＹＥＳ）、コンピュータ６はファイルタグ１の保持するＩＤに該当する情報をデータベース６１内の資料管理テーブルから消去する（Ｓ１１２）。【００４７】
一方、スイッチングタグ２ｂがステップＳ１１０におけるディスプレイ４の表示から１０秒以内に有効状態にされなかった場合（Ｓ１１１，ＮＯ）、コンピュータ６は出庫処理のキャンセルとみなし、処理を終了する。【００４８】
また、ステップＳ１０９の判断において、ファイルタグ１が入庫済みでない場合（Ｓ１０９，ＮＯ）、コンピュータ６は出庫処理を終了する。【００４９】
以上説明した動作によって、ファイルタグ１の貼られたファイルとスイッチングタグ２ａ〜２ｄが貼られた夫々の棚をひとつの書庫に対してひとつのアンテナ３で対応付けることができる。また、ステップＳ１０７及びステップＳ１１１の動作のようにスイッチングタグ２ａ〜２ｄをコンピュータ６に対する入力装置として使用することもできる。【００５０】
更に、管理装置を構成するコンピュータにおいて上述した各ステップを実行させるプログラムを、タグ管理プログラムとして提供することができる。上述したプログラムは、コンピュータにより読取可能な記録媒体に記憶させることによって、タグ管理装置を構成するコンピュータに実行させることが可能となる。ここで、上記コンピュータにより読み取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【産業上の利用可能性】
【００５１】
以上説明したように、対応付け作業の効率化とロケーションの区分けの細分化を低コストで実現することができる。
【図１】
2009022403.tif 000003
【図２】
2009022403.tif 000004
【図３】
2009022403.tif 000005
【図４】
2009022403.tif 000006
【図５】
2009022403.tif 000007
【図６】
2009022403.tif 000008
【図７】
2009022403.tif 000009
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
複数の管理対象物のそれぞれに付されたＩＣタグから各管理対象物の個別情報を読み取り、複数の管理対象物を管理するタグ管理装置であって、
前記管理対象物が配置される複数のロケーション毎に配置され、該ロケーションにおいて、リード装置により読取可能とされる有効状態とリード装置により読取不能とされる無効状態とをユーザによる所定の操作により切り替えることができるスイッチ機能付きタグと、
前記スイッチ機能付きタグより読み取られたロケーション情報と前記ＩＣタグより読み取られた前記各管理対象物の個別情報を対応付けて管理する管理部と
を備えてなるタグ管理装置。
【請求項２】
請求項１に記載のタグ管理装置において、
前記スイッチ機能付きタグは、
アンテナを有し、所定の情報をリード装置により読み取り可能に保持するＩＣタグと、
前記ＩＣタグへの近接時に前記リード装置による前記所定の情報の読み取りを不能にするリード阻止部材と、
前記リード阻止部材を前記ＩＣタグから離間させ、該離間時に前記リード装置による前記所定の情報の読み取りを可能にする操作部と
を備えるタグ管理装置。
【請求項３】
第１情報を保持し、リード装置により読取可能とされる有効状態とリード装置により読取不能とされる無効状態とをユーザによる所定の操作により切り替えることができるスイッチ機能付きの第１タグと、
第２情報をリード装置により読み取り可能に保持する第２タグと、
前記第１タグより読み取られた前記第１情報と前記第２タグより読み取られた第２情報を対応付けて管理する管理部とを備え、
前記管理部は、前記第１タグから前記第１情報が読み取られた場合に、前記第２タグからの前記第２情報を読み取り、該第２情報の読み取り後に、再度前記第１情報が所定の時間内に読み取られることを条件に前記第１情報と前記第２情報とを対応付けて管理するタグ管理装置。
【請求項４】
リード装置により読取可能とされる有効状態とリード装置により読取不能とされる無効状態とをユーザによる所定の操作により切り替えることができるスイッチ機能付きの第１タグから、第１情報が読み取られたか否かを判断する第１情報読み取り判断ステップと、
前記第１情報読み取り判断ステップにより、前記第１情報が読み取られたと判断された場合に、第２タグから読み取られた第２情報を前記第１情報と対応付けて管理する管理ステップと
を備えるタグ管理方法。
【請求項５】
請求項４に記載のタグ管理方法において、
前記管理ステップは、前記第１情報読み取り判断ステップにより、前記第１情報が読み取られたと判断された場合に、第２タグから第２情報を読み取り、読み取られた第２情報を前記第１情報と対応付けて管理するタグ管理方法。
【請求項６】
請求項５に記載のタグ管理方法において、
前記管理ステップは、前記第１情報と前記第２情報とが読み取られた後に、再度該第１情報が所定の時間内に読み取られることを条件に前記第１情報と前記第２情報を対応付けて管理するタグ管理方法。
【請求項７】
タグ情報を管理して管理対象物を管理するタグ管理方法をコンピュータに実行させるタグ管理プログラムであって、
リード装置により読取可能とされる有効状態とリード装置により読取不能とされる無効状態とをユーザによる所定の操作により切り替えることができるスイッチ機能付きの第１タグから、第１情報が読み取られたか否かを判断する第１情報読み取り判断ステップと、
前記第１情報読み取り判断ステップにより、前記第１情報が読み取られたと判断された場合に、第２タグから読み取られた第２情報を前記第１情報と対応付けて管理する管理ステップと
をコンピュータに実行させるタグ管理プログラム。
【請求項８】
請求項７に記載のタグ管理プログラムにおいて、
前記管理ステップは、前記第１情報読み取り判断ステップにより、前記第１情報が読み取られたと判断された場合に、第２タグから第２情報を読み取り、読み取られた第２情報を前記第１情報と対応付けてコンピュータに管理させるタグ管理プログラム。
【国際調査報告】
2009022403.tif 000010
2009022403.tif 000011
2009022403.tif 000012
2009022403.tif 000013
2009022403.tif 000014
2009022403.tif 000015
2009022403.tif 000016
2009022403.tif 000017
2009022403.tif 000018